(57)【要約】      （修正有）【課題】精度良く垂直に設置することの出来る半導体搭載基板用リードピンを提供する。【解決手段】軸と鍔とから成るＴ型の半導体搭載基板用リードピン１において、前記鍔が、被接続部側の平坦部に、前記鍔の径よりも小さい球面状の凸部を複数有しており、且つ、前記球面状の凸部が、被接続パッドに対し均一な高さになっていることを特徴とする半導体搭載基板用リードピン１である。また、半導体搭載基板用リードピン１を搭載し、前記球面状の凸部が半導体搭載基板のリードピン接続パッドに接していることを特徴とする半導体パッケージ基板である。【選択図】図１
2011181872.tif 000002
【特許請求の範囲】
【請求項１】
軸と鍔とから成るＴ型の半導体搭載基板用リードピンにおいて、
前記鍔が、被接続部側の平坦部に、前記鍔の径よりも小さい球面状の凸部を複数有しており、
且つ、前記球面状の凸部が、被接続パッドに対し均一な高さになっていることを特徴とする半導体搭載基板用リードピン。
【請求項２】
前記球面状の凸部が、前記鍔に対し、前記鍔の中心、および前記鍔の中心にて対称とする正多角形の頂点に配置されていることを特徴とする請求項１に記載の半導体搭載基板用リードピン。
【請求項３】
前記球面状の凸部が、前記鍔に対し、前記鍔の中心にて対称とする複数の正多角形の頂点に同心円状に配置されていることを特徴とする請求項１乃至請求項２に記載の半導体搭載基板用リードピン。
【請求項４】
請求項１乃至３に記載の半導体搭載基板用リードピンを搭載し、前記球面状の凸部が半導体搭載基板のリードピン接続パッドに接していることを特徴とする半導体パッケージ基板。
【発明の詳細な説明】
【技術分野】
【０００１】
本発明は、ＰＧＡタイプ用のリードピン、およびリードピン付き半導体パッケージ基板に関する。
【背景技術】
【０００２】
ＰＧＡ（Ｐｉｎ  Ｇｒｉｄ  Ａｒｒａｙ）タイプの半導体パッケージ基板においてリードピンは、近年の高密度化に対応するため、パッケージ基板側の通孔に挿入する挿入ピンから、パッケージ基板のパッドに半田で接続する釘のような形状のＴ型ピンが一般的となっている。
【０００３】
Ｔ型ピンは、半田によりパッケージ基板に固定され、同様に、ＩＣチップも半田によりパッケージ基板の電極パッドに固定される。ここで、Ｔ型ピン接続用の半田とＩＣチップ接続用の半田を、鉛の含有量を変えたり、金属組成を変えたりすることで融点を変更し、ＩＣチップを実装する際のリフロー時に、半導体搭載基板用リードピンを固定している半田が溶解しないようにしている。
【０００４】
さらに近年、鉛（Ｐｂ）の環境や人体への有害性から、２００６年７月に欧州でＲｏＨＳ指令が発令され、Ｐｂの使用が禁止された。このため、電子、自動車専業においてＰｂフリー半田の使用が増えてきている。
【０００５】
例えば、半導体搭載基板用リードピンにおいて、鍔部の基板との接合側全体が球面状であることを特徴とする形状が提案されている（特許文献１参照）。
【先行技術文献】
【特許文献】
【０００６】
【特許文献１】特開２００１−２６７４５１号公報
【発明の概要】
【発明が解決しようとする課題】
【０００７】
しかしながら、鍔部の基板との接合側が球面上である場合、半導体搭載基板用リードピンを半導体搭載基板に設置する際にリードピンが傾くという問題が発生する。
【０００８】
さらには、半導体搭載基板用にＩＣチップリフローによりはんだバンプを融解して搭載する際に、半導体搭載基板用リードピンの半田が融解してリードピンが傾くという問題が発生する。
【０００９】
そこで、本発明は、上述の問題を解決するためになされたものであり、精度良く垂直に設置することの出来る半導体搭載基板用リードピンを提供することを目的とする。
【課題を解決するための手段】
【００１０】
上記課題を解決するために請求項１に係る発明としては、軸と鍔とから成るＴ型の半導体搭載基板用リードピンにおいて、前記鍔が、被接続部側の平坦部に、前記鍔の径よりも小さい球面状の凸部を複数有しており、前記球面状の凸部が、被接続パッドに対し均一な高さになっていることを特徴とする半導体搭載基板用リードピンである。
【００１１】
また、請求項２に係る発明としては、前記球面状の凸部が、前記鍔に対し、前記鍔の中心、および前記鍔の中心にて対称とする正多角形の頂点に配置されていることを特徴とする請求項１に記載の半導体搭載基板用リードピンである。
【００１２】
また、請求項３に係る発明としては、前記球面状の凸部が、前記鍔に対し、前記鍔の中心にて対称とする複数の正多角形の頂点に同心円状に配置されていることを特徴とする請求項１乃至請求項２に記載の半導体搭載基板用リードピンである。
【００１３】
また、請求項４に係る発明としては、請求項１乃至３に記載の半導体搭載基板用リードピンを搭載し、前記球面状の凸部が半導体搭載基板のリードピン接続パッドに接していることを特徴とする半導体パッケージ基板である。
【発明の効果】
【００１４】
本発明の半導体搭載基板用リードピンは、被接続部側の平坦部に、鍔の径よりも小さい均一な高さの球面状の凸部を複数有する。このため、リードピンを半導体搭載基板に設置する際にリードピンに荷重を与えることにより、半導体搭載基板に対し精度良く垂直にリードピンを設置することが出来る。
【図面の簡単な説明】
【００１５】
【図１】本発明の一実施例の半導体搭載基板用リードピンの一例を示す概略図である。
【図２】本発明の一実施例の半導体搭載基板用リードピンの半導体搭載基板設置時の一例を示す概略図である。
【発明を実施するための形態】
【００１６】
以下、本発明の半導体搭載基板用リードピンについて、具体的に説明を行う。
【００１７】
本発明の半導体搭載基板用リードピンは、軸部と鍔部とから成るＴ型の半導体搭載基板用リードピンにおいて、前記鍔が、被接続部側の平坦部に、前記鍔の径よりも小さい球面状の凸部を複数有することを特徴とする。
【００１８】
半導体搭載基板用リードピンの鍔の、非接続部側に球面状の凸部を複数有することで、半導体搭載基板用リードピンの鍔部と半導体搭載基板の被接続部とのギャップを確実に確保することが出来る。
【００１９】
さらに、リードピン鍔部の接続側に複数の凸形状がある場合、単純な平面形状の場合よりも表面積が大きくなり、接続用半田へのアンカー効果も期待できるため、接合強度を大きくすることが出来る。
【００２０】
本発明の半導体搭載基板用リードピンは、コバールや４２アロイ等の鉄ニッケル系合金、または銅合金からなる断面円形の円柱状の軸部と、軸部の片側に半径方向に突出する円形の鍔部とを同心状に備えており、さらに、鍔部の被接続側には球面状の凸部が複数設置されている。
【００２１】
また、表面にはニッケルめっき、および金めっきが施されており、軸部は半導体搭載基板を装着するソケットの穴径、鍔部は半導体搭載基板用のリードピン接続用パッドの径に応じて、適宜規定される。
【００２２】
本発明の半導体搭載基板用リードピンは、前記球面状の凸部のすべての頭頂部が、被接続パッドに対し均一な高さになっている。
【００２３】
本発明の半導体搭載基板用リードピン形状が球面状の凸部のすべてが、非接続パッドに対し均一な高さとなっていることで、半導体搭載基板にリードピンを設置する際にリードピンの凸部と被接続パッドが接することで、リードピンを半導体搭載基板に対し精度良く垂直な状態で設置することが出来る。
【００２４】
また、本発明の半導体搭載基板用リードピンは、前記球面状の凸部が、前記鍔に対し、前記鍔の中心、および前記鍔の中心を中心とする正多角形の頂点に配置されている。
【００２５】
球面状の凸部を、鍔に対し均等に配置することで、半導体搭載基板用リードピンを半導体搭載基板に設置する際に、荷重を均等に分散し、リードピンを半導体搭載基板に対しより精度良く垂直な状態で設置することが出来る。
【００２６】
また、本発明の半導体搭載基板用リードピンは、前記球面状の凸部が、前記鍔に対し、前記鍔の中心を中心とする複数の正多角形の頂点に同心円状に配置されている。
【００２７】
半導体搭載用リードピンの球面状の凸部を、前記鍔に対し、前記鍔の中心を中心とする複数の正多角形の頂点に同心円状に配置することで、前記鍔のサイズによらず前記球面状の凸部を、前記鍔に対し均等に配置することが出来、半導体搭載基板用リードピンを半導体搭載基板に設置する際に、荷重を均等に分散し、リードピンを半導体搭載基板に対し、より精度良く垂直な状態で設置することが出来る。
【００２８】
また、本発明の本発明の半導体搭載基板用リードピンを半導体搭載基板に設置する際、一定の荷重をリードピンに与えることにより、リードピンの球面上の凸部と半導体搭載基板の接続用パッドとの間隙が無くなり、リードピンを半導体搭載基板に対しより精度良く垂直に設置することが出来る。
【００２９】
図１に本発明の半導体搭載基板用リードピンの実施の形態の一例を具体的に示す。
【００３０】
図１は、本発明の半導体搭載基板用リードピンの一例を真横、および真下から見た状態を示す概略図であり、半導体搭載基板用リードピン１は軸部２、鍔部３、および複数の球面状凸部４から構成されている。ここでは球面状凸部４は鍔部３と同心上に１つ、および鍔部３と同心上の正八角形の頂点上に８つ配置されている。また、複数の球面状凸部４の頭頂部は鍔部３に対しすべて均一な高さとなっている。
【００３１】
図２に本発明の半導体搭載基板用リードピンの半導体搭載基板設置時の一例を具体的に示す。
【００３２】
図２は、本発明の半導体搭載基板用リードピンの半導体搭載基板設置時の一例を示す概略断面図であり、半導体実装基板用リードピン１が半導体搭載基板５上に塗布されているソルダーレジスト７の開口部に設置されているリードピン実装用パッド６に半田８を介して接続されている状態を示している。
【００３３】
また、複数の球面状凸部４の頭頂部は鍔部３に対しすべて均一な高さとなっていることで、リードピン実装用パッド６に球面状凸部４の頭頂部がすべて接している状態となっている。
【産業上の利用可能性】
【００３４】
本発明の半導体搭載基板用リードピンはＰＧＡタイプに限らず、リードピンがピン接合部に設置される配線基板においても広く具体化できるものである。また、配線基板はセラミックや樹脂など、あらゆる材質の基板においても適用が可能である。
【符号の説明】
【００３５】
１・・・半導体搭載基板用リードピン
２・・・軸部
３・・・鍔部
４・・・球面上凸部
５・・・半導体搭載基板
６・・・リードピン実装用パッド
７・・・ソルダーレジスト
８・・・半田
【図１】
2011181872.tif 000003
【図２】
2011181872.tif 000004